(57)【要約】【課題】本発明は、引張りコイルばねの付勢力を調整する際の作業性を改善できる絞りロール調整装置を得ることにある。【解決手段】絞りロール4を回転ドラム3に押し付ける引張りコイルばね17を有する絞りロール調整装置11, 12は、絞りロール4を支持するとともに外周面に引張りコイルばね17を巻き付ける溝21を有する第１のばね受け14と、第１のばね受け14を支持するブラケット13と、引張りコイルばね17の両端部を保持するとともに引張りコイルばね17を第１のばね受け14に巻き付けた状態に保持する第２のばね受け15と、第２のばね受け15をブラケット13に連結するねじ部材16とを含んでいる。ねじ部材16は、その上端に工具26を引っ掛ける係合部25を有し、この係合部25に工具26を引っ掛けてねじ部材16を回すことで、絞りロール4に加わる引張りコイルばね17の付勢力を調整する。【選択図】      図２
2007185738.tif 000002
【特許請求の範囲】
【請求項１】
回転ドラムに捕捉された不純物に含まれる水分を絞る絞りロールを、上記回転ドラムの外周面に押し付ける方向に付勢する引張りコイルばねを有する絞りロール調整装置であって、
上記絞りロールの軸端部を回転自在に支持するとともに、外周面に上記引張りコイルばねを巻き付ける溝を有する円盤状の第１のばね受けと、
上記第１のばね受けを支持するブラケットと、
上記引張りコイルばねの両端部を保持するとともに、上記引張りコイルばねを上記第１のばね受けの溝に巻き付けた状態に保つ第２のばね受けと、
上記第２のばね受けを上記ブラケットに連結するとともに、縦置きの姿勢で配置されるねじ部材と、を含み
上記ねじ部材は、その上端に工具を引っ掛ける係合部を有し、この係合部に工具を引っ掛けて上記ねじ部材を回すことで、上記第２のばね受けを上記第１のばね受けに対し近づいたり遠ざかる方向に移動させ、上記第１のばね受けを介して上記絞りロールに加わる上記引張りコイルばねの付勢力を調整することを特徴とする絞りロール調整装置。
【請求項２】
請求項１の記載において、上記ねじ部材は頭部を有するボルトであり、このボルトの頭部に上記係合部が形成されていることを特徴とする絞りロール調整装置。
【発明の詳細な説明】
【技術分野】
【０００１】
本発明は、回転ドラムに捕捉された不純物に含まれる水分を絞る絞りロールを、回転ドラムに押し付ける方向に弾性的に押し付ける絞りロール調整装置に関する。
【背景技術】
【０００２】
工作機械では、工具の冷却、潤滑性能を維持するために水溶性あるいは油性のクーラントを使用している。この種のクーラントは、繰り返し使用することを前提としているので、クーラント中に混入している金属の切り屑や切粉のような不純物は、速やかに除去する必要がある。
【０００３】
このことから、従来では、工作機械から排出されるクーラントを貯溜槽に導く経路の途中に不純物を除去する処理装置を設置している。従来の処理装置は、不純物を含む汚れたクーラントが流入する本体と、この本体に設けられたマグネットドラムおよび絞りロールとを備えている。
【０００４】
マグネットドラムは、軸回り方向に回転することでクーラントに含まれる不純物を捕捉する。絞りロールは、マグネットドラムとの間で不純物に含まれる水分を絞る。絞りロールは、水切り効果を高めるため、マグネットドラムの外周面に所定の圧力をかけて押し付けることが望ましい。このため、従来の処理装置では、絞りロールの軸端部を支持する軸受にガイドポストを接続し、このガイドポストに止めボルトをねじ込むとともに、この止めボルトの外側に圧縮コイルばねを装着している。
【０００５】
圧縮コイルばねは、止めボルトの頭部とガイドポストとの間に圧縮状態で介在され、上記絞りロールをマグネットドラムの外周面に押し付ける方向に弾性的に付勢している。
【０００６】
したがって、圧縮コイルばねの圧縮量を変化させることで、マグネットドラムに対する絞りロールの押し付け力を調整することができる。圧縮コイルばねの圧縮量は、止めボルトを回転させて、ガイドポストに対するねじ込み量を変えることで任意に調整が可能となっている（例えば、特許文献１参照）。
【特許文献１】意匠登録第１１７０３１６号公報  （意匠に係る物品の説明、各部品を指し示すＢ−Ｂ、Ｃ−Ｃ断面図）
【発明の開示】
【発明が解決しようとする課題】
【０００７】
従来の処理装置によると、圧縮コイルばねおよび止めボルトは、本体の左右の側板の外側に設けられているとともに、本体の高さ方向に沿う縦置きの姿勢で配置されている。さらに、止めボルトは、スパナのような工具を引っ掛ける頭部を有し、この頭部は止めボルトの下端に位置している。
【０００８】
しかしながら、工具を引っ掛ける頭部が止めボルトの下端に位置すると、工具を用いて止めボルトを回す時に、作業者は、その都度止めボルトの頭部を下方から見上げるような無理な姿勢を強いられることになる。
【０００９】
しかも、処理装置の本体は、クーラントを貯溜する貯溜槽の上に設置されるとともに、この本体の側方に他の工作機械や工場の壁等が位置することがあり得る。このため、止めボルトの頭部の周囲に作業用のスペースを確保することが困難となり、マグネットドラムに対する絞りロールの押し付け力を調整する際の作業性が悪くなる。
【００１０】
本発明の目的は、絞りロールを引張りコイルばねを用いて回転ドラムに押し付けるに当たり、この引張りコイルばねの付勢力を調整する際の作業性を改善できる絞りロール調整装置を得ることにある。
【課題を解決するための手段】
【００１１】
上記目的を達成するため、本発明の一つの形態に係る絞りロール調整装置は、  
絞りロールの軸端部を回転自在に支持するとともに、外周面に引張りコイルばねを巻き付ける溝を有する円盤状の第１のばね受けと、  
上記第１のばね受けを支持するブラケットと、  
上記引張りコイルばねの両端部を保持するとともに、上記引張りコイルばねを上記第１のばね受けの溝に巻き付けた状態に保つ第２のばね受けと、  
上記第２のばね受けを上記ブラケットに連結するとともに、縦置きの姿勢で配置されるねじ部材と、を含み、  
上記ねじ部材は、その上端に工具を引っ掛ける係合部を有し、この係合部に工具を引っ掛けて上記ねじ部材を回すことで、上記第２のばね受けを上記第１のばね受けに対し近づいたり遠ざかる方向に移動させ、上記第１のばね受けを介して上記絞りロールに加わる上記引張りコイルばねの付勢力を調整することを特徴としている。
【発明の効果】
【００１２】
本発明によれば、例えばドライバあるいはボックスレンチのような工具を絞りロールの上方から係合部に向けて挿入することができる。このため、ねじ部材を絞りロールの上方から工具を用いて回すことができ、たとえ絞りロールの側方から下方に至る領域に広い作業スペースを確保できないような状況下においても、ねじ部材を容易に操作することができる。よって、絞りロールに加わる引張りコイルばねの付勢力を調整する際の作業性が格段に向上する。
【００１３】
しかも、ねじ部材を回すと、第２のばね受けが引張りコイルばねの両端を引張るので、例えば引張りコイルばねの一端を固定して他端を引張る場合との比較において、引張りコイルばねを変形させる際の第２のばね受けのストロークが半分となる。したがって、ねじ部材を回す回数も少なくて済み、引張りコイルばねの付勢力を調整したり、引張りコイルばねを用いて第１のばね受けをブラケットに組み付ける際の作業性が向上する。
【発明を実施するための最良の形態】
【００１４】
以下本発明の実施の形態を図面に基づいて説明する。
【００１５】
図１は、工作機械に用いるクーラントを浄化するセパレータ１を開示している。工作機械から排出される汚れたクーラントは、処理すべきダーティー液の一例であり、例えば金属の切り屑や鉄粉のような磁性スラッジからなる不純物を含んでいる。
【００１６】
セパレータ１は、ダーティー槽２と、このダーティー槽２に設けられたマグネットドラム３および絞りロール４とを備えている。ダーティー槽２は、工作機械から排出される汚れたクーラントを一次的に貯溜する。マグネットドラム３は、回転ドラムの一例であり、図２の矢印Ａ方向に回転することで、クーラント中に含まれる不純物を吸着する。
【００１７】
絞りロール４は、マグネットドラム３の外周面に付着した不純物に含まれる水分を絞るためのものであり、例えば硬質ゴムのような弾性材で造られている。絞りロール４は、マグネットドラム３の上に平行に配置されているとともに、その軸端部が一対の絞りロール調整装置１１，１２を介してダーティー槽２の側板５ｂ，５ｃの上端部に支持されている。
【００１８】
絞りロール調整装置１１，１２は、互いに共通の構成を有するので、一方の絞りロール調整装置１１を代表して説明する。図２ないし図５に示すように、絞りロール調整装置１１は、ブラケット１３、第１のばね受け１４、第２のばね受け１５、調整ボルト１６および引張りコイルばね１７を備えている。
【００１９】
ブラケット１３は、例えばステンレス製であり、側板５ｃの外面に重なり合う第１の部分１３ａと、この第１の部分１３ａの下端から側方に向けて略直角に折り返された第２の部分１３ｂとを有している。第１の部分１３ａは、側板５ｃの上端部にねじ１８を介して固定されているとともに、第１の部分１３ａの上縁に開口するＵ字形の切り欠き部１９を有している。
【００２０】
第１のばね受け１４は、円盤状をなしている。第１のばね受け１４の中央部に、絞りロール４の軸端部を回転自在に支持する軸受２０が組み込まれている。第１のばね受け１４の外周面にばね受け溝２１とガイド溝２２が形成されている。ばね受け溝２１およびガイド溝２２は、第１のばね受け１４の軸方向に互いに隣り合っている。ガイド溝２２にブラケット１３の切り欠き部１９の縁が摺動可能に嵌合しており、この嵌合により、第１のばね受け１４が絞りロール４と一緒にダーティー槽２の高さ方向に移動可能となっている。
【００２１】
言い換えると、絞りロール４は、第１のばね受け１４と切り欠き部１９との嵌合部分をガイドとしてマグネットドラム３に近づいたり遠ざかる方向に移動可能となっている。
【００２２】
第２のばね受け１５は、例えばステンレス製であり、第１のばね受け１４とブラケット１３の第２の部分１３ｂとの間に位置している。第２のばね受け１５とブラケット１３の第２の部分１３ｂとは、互いに平行となるように向かい合っている。
【００２３】
調整ボルト１６は、ねじ部材の一例であり、ねじ部１６ａと六角形の頭部１６ｂとを有している。ねじ部１６ａは、第２のばね受け１５の上方から第２のばね受け１５およびブラケット１３の第２の部分１３ｂを貫通するとともに、第２の部分１３ｂの下面に溶接したナット２３にねじ込まれている。
【００２４】
そのため、調整ボルト１６は、第２のばね受け１５をブラケット１３の第２の部分１３ｂに連結しており、ナット２３に対する調整ボルト１６のねじ込み量を調整することで、第２のばね受け１５が第１のばね受け１４に近づいたり遠ざかる方向に移動するようになっている。
【００２５】
図３および図５に示すように、調整ボルト１６の頭部１６ｂは、第１のばね受け１４よりもダーティー槽２の側方に張り出している。頭部１６ｂの上面に係合部としての十字穴２５が形成されている。十字穴２５は、ドライバのような工具２６の先端を引っ掛ける係合部の一例であり、ローラ支持部１１の上方を指向している。
【００２６】
引張りコイルばね１７は、弾性変形が可能なコイル部２７と、このコイル部２７の端末に位置する一対のフック部２８ａ，２８ｂとを有している。コイル部２７は、第１のばね受け１４の上方からそのばね受け溝２１に巻き付けられている。コイル部２７の両端部２７ａ，２７ｂは、互いに平行をなして第１のばね受け１４の下方に向けて直線状に導かれている。フック部２８ａ，２８ｂは、第２のばね受け１５の両端に引っ掛かっている。
【００２７】
引張りコイルばね１７は、コイル部２７を第１のばね受け１４に円弧状に巻き付けた状態で第１のばね受け１４と第２のばね受け１５との間に亘って架け渡されている。すなわち、引張りコイルばね１７は、第１のばね受け１４をブラケット１３の切り欠き部１９に保持するとともに、そのコイル部２７の弾性により第１のばね受け１４を第２のばね受け１５に近づく方向に付勢している。
【００２８】
言い換えると、引張りコイルばね１７は、第１のばね受け１４を介して絞りロール４をマグネットドラム３の外周面に押し付ける方向に付勢しており、これにより絞りロール４がマグネットドラム３の外周面に所定の圧力で接している。
【００２９】
このようなセパレータ１において、マグネットドラム３に対する絞りロール４の押し付け力を調整するための調整ボルト１６は、上下方向に沿う縦置きの姿勢で配置されるとともに、その上端に十字穴２５が形成された頭部１６ｂを有している。このため、調整ボルト１６を回す際には、図２および図３に示すように、ダーティー槽２の上方から側板５ｃに沿うようにして工具２６を差し込むことで、この工具２６の先端を調整ボルト１６の十字穴２５に引っ掛けることができる。
【００３０】
このため、調整ボルト１６をダーティー槽２の上方から工具２６を用いて回すことができ、たとえダーティー槽２の側方から下方に至る領域に広い作業スペースを確保できないような状況下においても、調整ボルト１６を容易に操作することができる。それとともに、工具２６を引っ掛ける十字穴２５がダーティー槽２の上方を指向しているので、工具２６を用いて調整ボルト１６を回す際に、作業者が屈み込んだりダーティー槽２の下方を覗き込むような無理な姿勢を強いられることもない。
【００３１】
よって、絞りロール４に加わる引張りコイルばね１７の付勢力を調整する際の作業性が格段に向上する。
【００３２】
さらに、調整ボルト１６をナット２３にねじ込んでいくと、第２のばね受け１５が引張りコイルばね１７の両端部２７ａ，２７ｂを引張るので、例えば引張りコイルばね１７の一端を固定して他端を引張る場合との比較において、引張りコイルばね１７を変形させる際の第２のばね受け１５のストロークが半分となる。
【００３３】
したがって、調整ボルト１６を回す回数が少なくて済むことになり、それ故、引張りコイルばね１７の付勢力を調整したり、あるいは引張りコイルばね１７を用いて第１のばね受け１４をブラケット１３に組み付ける時の作業性が向上する。
【００３４】
加えて、上記構成のセパレータ１によると、引張りコイルばね１７を第１のばね受け１４に円弧状の巻き付けることで、絞りロール４をマグネットドラム３の外周面に押し付ける付勢力を発生させている。このため、例えばマグネットドラム３と絞りロール４との間にスラッジの大きな塊が導かれた場合には、絞りロール４がマグネットドラム３から押し上げられるような力を受けて、引張りコイルばね１７のうち主にコイル部２７の直線状をなす両端部２７ａ，２７ｂが伸びる方向に変形する。
【００３５】
これに対し、従来の圧縮コイルばねを用いて絞りロール４をマグネットドラム３に押し付ける構成では、絞りロール４とマグネットドラム３との間にスラッジの塊が入り込んだ時に、絞りロール４がマグネットドラム３から逃げることができず、マグネットドラム３がロックし易くなる。
【００３６】
したがって、圧縮コイルばねの代わりに引張りコイルばね１７を用いることで、絞りロール４がスラッジの塊を逃げるようにマグネットドラム３の外周面から容易に離脱し、スラッジの塊が絞りロール４とマグネットドラム３との間に噛み込まれることはない。よって、マグネットドラム３のロックを防止でき、不純物の大きさに囚われることなく安定した運転を継続することができる。
【００３７】
なお、本発明は上記実施の形態に特定されるものではなく、発明の主旨を逸脱しない範囲内で種々変形して実施可能である。
【００３８】
例えば回転ドラムはマグネットドラムに限らず、フィルタドラムであってもよい。
【００３９】
さらに、調整ボルトの頭部に形成する係合部も十字穴に限らず、例えば直線状のすり割り、あるいは六角穴であってもよい。そのため、調整ボルトを回す工具にしても、ドライバに限らず、例えば六角棒レンチやボックスレンチを用いてもよい。
【図面の簡単な説明】
【００４０】
【図１】本発明の実施の形態に係るセパレータの斜視図。
【図２】本発明の実施の形態において、マグネットドラム、絞りロールおよびローラ支持部の位置関係を示す断面図。
【図３】本発明の実施の形態において、ローラ支持部の調整ボルトを工具を用いて回す状態を示す断面図。
【図４】本発明の実施の形態において、ローラ支持部のブラケット、第１のばね受けおよび第２のばね受けの位置関係を示す正面図。
【図５】本発明の実施の形態に係るローラ支持部の斜視図。
【符号の説明】
【００４１】
３…回転ドラム（マグネットドラム）、４…絞りロール、１１，１２…絞りロール調整装置、１３…ブラケット、１４…第１のばね受け、１５…第２のばね受け、１６…ねじ部材（調整ボルト）、１７…引張りコイルばね、２１…溝（ばね受け溝）、２５…係合部（十字穴）、２６…工具。
【図１】
2007185738.tif 000003
【図２】
2007185738.tif 000004
【図３】
2007185738.tif 000005
【図４】
2007185738.tif 000006
【図５】
2007185738.tif 000007